(57)【要約】  複数のコンテンツの蓄積時期が重複した場合でも、各コンテンツの蓄積を可能とするとともに、公開日時に間に合うようにコンテンツの蓄積を完了する。不揮発性記憶部（２３）が、複数のコンテンツの公開時期の情報を記憶し、複数のコンテンツの蓄積時期の候補とされる時期が重複した場合に、蓄積時期設定部（２４ｂ）が、不揮発性記憶部（２３）に記憶された公開時期の情報に基づいて、複数のコンテンツ間における公開時期の先後を判定し、その判定結果に基づいて、各コンテンツの蓄積時期を設定し、コンテンツ蓄積部（２４ｃ）が、蓄積時期設定部（２４ｂ）により設定された蓄積時期に基づいて、コンテンツを蓄積する。
2012132591.tif 000002
【特許請求の範囲】
【請求項１】
複数のコンテンツを受信するコンテンツ受信装置であって、
前記複数のコンテンツの公開時期の情報を記憶する記憶部と、
前記複数のコンテンツの蓄積時期の候補とされる時期が重複した場合に、前記記憶部に記憶された前記公開時期の情報に基づいて、前記複数のコンテンツ間における公開時期の先後を判定し、該判定の結果に基づいて、各コンテンツの蓄積時期を設定する蓄積時期設定部と、
前記蓄積時期設定部により設定された蓄積時期に基づいて、前記各コンテンツを蓄積するコンテンツ蓄積部と、
を備えることを特徴とするコンテンツ受信装置。
【請求項２】
前記複数のコンテンツは、第１のコンテンツ、および、第２のコンテンツを含み、前記蓄積時期設定部は、前記第１のコンテンツの蓄積時期の候補とされる時期と、前記第２のコンテンツの蓄積時期の候補とされる時期とが重複した場合に、前記第１のコンテンツと前記第２のコンテンツとの間における公開時期の先後を判定し、前記第２のコンテンツの公開時期が前記第１のコンテンツの公開時期よりも遅い場合に、前記第１のコンテンツの蓄積時期を、前記第１のコンテンツの蓄積時期の候補とされる時期に設定し、前記第２のコンテンツの蓄積時期を、前記第１のコンテンツの蓄積時期の候補とされる時期よりも遅い前記第２のコンテンツが放送される時期に設定することを特徴とする請求項１に記載のコンテンツ受信装置。
【請求項３】
前記複数のコンテンツは、第３のコンテンツをさらに含み、前記蓄積時期設定部は、前記第２のコンテンツが放送される時期と、前記第３のコンテンツの蓄積時期の候補とされる時期とが重複した場合に、前記第２のコンテンツと前記第３のコンテンツとの間における公開時期の先後を判定し、前記第３のコンテンツの公開時期が前記第２のコンテンツの公開時期よりも遅い場合に、前記第３のコンテンツの蓄積時期を、前記第２のコンテンツの蓄積時期よりも遅い前記第３のコンテンツが放送される時期に設定することを特徴とする請求項２に記載のコンテンツ受信装置。
【請求項４】
前記蓄積時期設定部は、前記第２のコンテンツの蓄積時期が該第２のコンテンツの公開時期よりも後である場合に、前記第２のコンテンツの蓄積時期を、前記第１のコンテンツの蓄積時期の候補とされる時期に設定し、前記第１のコンテンツの蓄積時期を、前記第１のコンテンツの蓄積時期の候補とされる時期よりも遅い前記第１のコンテンツが放送される時期に設定することを特徴とする請求項２または３に記載のコンテンツ受信装置。
【請求項５】
前記蓄積時期設定部は、前記第１のコンテンツの蓄積時期を、前記第１のコンテンツの公開時期よりも早い前記第１のコンテンツが放送される時期に設定することを特徴とする請求項４に記載のコンテンツ受信装置。
【請求項６】
複数のコンテンツを蓄積するコンテンツ蓄積方法であって、
前記複数のコンテンツの蓄積時期の候補とされる時期が重複した場合に、前記複数のコンテンツの公開時期の情報を記憶部から読み出し、読み出した前記公開時期の情報に基づいて、前記複数のコンテンツ間における公開時期の先後を判定し、該判定の結果に基づいて、各コンテンツの蓄積時期を設定する蓄積時期設定ステップと、
前記蓄積時期設定ステップにおいて設定された蓄積時期に基づいて、前記各コンテンツを蓄積するコンテンツ蓄積ステップと、
を含むことを特徴とするコンテンツ蓄積方法。
【発明の詳細な説明】
【技術分野】
【０００１】
本発明は、複数のコンテンツを受信するコンテンツ受信装置、および、コンテンツを蓄積するコンテンツ蓄積方法に関する。
【背景技術】
【０００２】
近年、デジタル放送においては、電波を用いて放送されたコンテンツを受信装置に蓄積し、蓄積したコンテンツをユーザが視聴する蓄積型放送が提案されている。この蓄積型放送では、ユーザは、コンテンツを受信と同時に視聴する必要がなく、見たい時にいつでもコンテンツを見ることができる。【０００３】
コンテンツを蓄積するため、ユーザは、受信装置を操作してコンテンツの蓄積を予約する。予約に必要なコンテンツの放送情報（例えば、コンテンツの識別子や放送時期等）は、コンテンツの放送に先立って放送される。例えば、コンテンツの放送情報は、「サーバー型放送における符号化、伝送及び蓄積制御方式  ＡＲＩＢ  ＳＴＤ−Ｂ３８  ２．０版（社団法人  電波産業会、平成２２年４月２６日  ２．０改定）」の「３．２．４．２  番組ロケーション」に規定されている形式で放送される。【０００４】
コンテンツの放送情報を受信した受信装置は、その放送情報に基づき、コンテンツの放送予定情報を画面に表示する。ユーザは、この放送予定情報を見て、コンテンツの蓄積予約を行う。【０００５】
ところで、蓄積型放送では、ユーザが異なる放送チャンネルで放送される複数のコンテンツの蓄積予約を行った場合に、それらのコンテンツの放送時期が重複してしまう可能性がある。そして、放送時期が重複すると、受信装置のハードウェアの制約により、それらのコンテンツを蓄積できなくなる場合がある。例えば、受信装置にチューナが１つしか搭載されていない場合、受信装置は、あるコンテンツを受信している間は他のコンテンツを受信できないので、すべてのコンテンツを蓄積できない。【０００６】
そのため、特許文献１には、複数のコンテンツの送信時期が重なる場合に、蓄積の優先度を決定し、その優先度に従ってコンテンツの蓄積を行うコンテンツ受信記録装置が開示されている。ここで、優先度は、コンテンツの送信機会の残り回数、コンテンツの未蓄積データ量の大小、コンテンツの未蓄積データを蓄積するために必要な時間、コンテンツの蓄積完了時刻、ユーザの視聴傾向が高い種別やチャンネルに応じて決定される。
【先行技術文献】
【特許文献】
【０００７】
【特許文献１】国際公開第２００６／０４１０６０号
【発明の概要】
【発明が解決しようとする課題】
【０００８】
蓄積型放送においては、コンテンツの公開日時が予め指定される場合がある。コンテンツの公開日時とは、ユーザがコンテンツを視聴できる期間の開始時点のことである。例えば、上記「サーバー型放送における符号化、伝送及び蓄積制御方式  ＡＲＩＢ  ＳＴＤ−Ｂ３８  ２．０版（社団法人  電波産業会、平成２２年４月２６日  ２．０改定）」の「３．２．４．３  サービス情報」には、コンテンツの公開日時をパラメータ「ＶａｌｉｄＦｒｏｍ」により設定することが規定されている。【０００９】
しかしながら、上述した特許文献１の従来技術では、コンテンツの公開日時が経過したとしても、そのコンテンツが受信装置に未だ蓄積されていない場合は、ユーザがそのコンテンツをすぐに視聴できないという問題がある。すなわち、たとえコンテンツの送信機会の残り回数等で優先順位を定めても、公開日時に間に合うようにコンテンツが蓄積されるとは限らず、公開日時が早いコンテンツの蓄積が後回しにされる可能性がある。そして、公開日時までにコンテンツの蓄積が完了していない場合、ユーザがそのコンテンツを視聴するには、コンテンツデータを提供するインターネット上のサービスなどを利用してコンテンツデータを補完する方法などが考えられるが、通信料金がかかるという問題がある。【００１０】
本発明は、上記課題に鑑み、複数のコンテンツの蓄積時期が重複した場合でも、各コンテンツの蓄積を可能とするとともに、公開日時に間に合うようにコンテンツの蓄積を完了することができるコンテンツ受信装置、および、コンテンツ蓄積方法を提供することを目的とする。
【課題を解決するための手段】
【００１１】
上記課題を解決する為に、本発明の第１の技術手段は、複数のコンテンツを受信するコンテンツ受信装置であって、前記複数のコンテンツの公開時期の情報を記憶する記憶部と、前記複数のコンテンツの蓄積時期の候補とされる時期が重複した場合に、前記記憶部に記憶された前記公開時期の情報に基づいて、前記複数のコンテンツ間における公開時期の先後を判定し、該判定の結果に基づいて、各コンテンツの蓄積時期を設定する蓄積時期設定部と、前記蓄積時期設定部により設定された蓄積時期に基づいて、前記各コンテンツを蓄積するコンテンツ蓄積部と、を備えることを特徴とする。【００１２】
本発明の第２の技術手段は、第１の技術手段において、前記複数のコンテンツは、第１のコンテンツ、および、第２のコンテンツを含み、前記蓄積時期設定部は、前記第１のコンテンツの蓄積時期の候補とされる時期と、前記第２のコンテンツの蓄積時期の候補とされる時期とが重複した場合に、前記第１のコンテンツと前記第２のコンテンツとの間における公開時期の先後を判定し、前記第２のコンテンツの公開時期が前記第１のコンテンツの公開時期よりも遅い場合に、前記第１のコンテンツの蓄積時期を、前記第１のコンテンツの蓄積時期の候補とされる時期に設定し、前記第２のコンテンツの蓄積時期を、前記第１のコンテンツの蓄積時期の候補とされる時期よりも遅い前記第２のコンテンツが放送される時期に設定することを特徴とする。【００１３】
本発明の第３の技術手段は、第２の技術手段において、前記複数のコンテンツは、第３のコンテンツをさらに含み、前記蓄積時期設定部は、前記第２のコンテンツが放送される時期と、前記第３のコンテンツの蓄積時期の候補とされる時期とが重複した場合に、前記第２のコンテンツと前記第３のコンテンツとの間における公開時期の先後を判定し、前記第３のコンテンツの公開時期が前記第２のコンテンツの公開時期よりも遅い場合に、前記第３のコンテンツの蓄積時期を、前記第２のコンテンツの蓄積時期よりも遅い前記第３のコンテンツが放送される時期に設定することを特徴とする。【００１４】
本発明の第４の技術手段は、第２または第３の技術手段において、前記蓄積時期設定部は、前記第２のコンテンツの蓄積時期が該第２のコンテンツの公開時期よりも後である場合に、前記第２のコンテンツの蓄積時期を、前記第１のコンテンツの蓄積時期の候補とされる時期に設定し、前記第１のコンテンツの蓄積時期を、前記第１のコンテンツの蓄積時期の候補とされる時期よりも遅い前記第１のコンテンツが放送される時期に設定することを特徴とする。【００１５】
本発明の第５の技術手段は、第４の技術手段において、前記蓄積時期設定部は、前記第１のコンテンツの蓄積時期を、前記第１のコンテンツの公開時期よりも早い前記第１のコンテンツが放送される時期に設定することを特徴とする。【００１６】
本発明の第６の技術手段は、複数のコンテンツを蓄積するコンテンツ蓄積方法であって、前記複数のコンテンツの蓄積時期の候補とされる時期が重複した場合に、前記複数のコンテンツの公開時期の情報を記憶部から読み出し、読み出した前記公開時期の情報に基づいて、前記複数のコンテンツ間における公開時期の先後を判定し、該判定の結果に基づいて、各コンテンツの蓄積時期を設定する蓄積時期設定ステップと、前記蓄積時期設定ステップにおいて設定された蓄積時期に基づいて、前記各コンテンツを蓄積するコンテンツ蓄積ステップと、を含むことを特徴とする。
【発明の効果】
【００１７】
本発明によれば、複数のコンテンツの蓄積時期が重複した場合でも、各コンテンツの蓄積を可能となり、公開日時に間に合うようにコンテンツの蓄積を完了することができるので、公開日時が経過したコンテンツをユーザがすぐに視聴できる。
【図面の簡単な説明】
【００１８】
【図１】本発明に係るコンテンツ受信装置の構成の一例を示すブロック図である。
【図２】本発明に係るコンテンツ蓄積時期設定処理の一例について説明する図である。
【図３】本発明に係るコンテンツ蓄積時期設定処理の処理手順の一例を示すフローチャートである。
【図４】図３に示す重複解消処理の処理手順の一例を示すフローチャートである。
【発明を実施するための形態】
【００１９】
以下、本発明の実施形態について図面を参照して詳細に説明する。まず、本発明に係るコンテンツ受信装置の構成の一例について説明する。図１は、本発明に係るコンテンツ受信装置１０の構成の一例を示すブロック図である。
【００２０】
図１に示すように、コンテンツ受信装置１０は、アンテナ１１、チューナ部１２、デマルチプレクサ部１３、ＰＳＩ／ＳＩ処理部１４、データカルーセル受信処理部１５、映像・音声処理部１６、再生制御部１７、映像出力部１８、音声出力部１９、計時部２０、入力部２１、揮発性記憶部２２、不揮発性記憶部２３、制御部２４を備える。
【００２１】
アンテナ１１は、コンテンツの放送信号を受信し、受信した放送信号をチューナ部１２に出力するアンテナである。チューナ部１２は、入力部２１を介してユーザにより指定されたチャンネルを選局し、そのチャンネルを用いて放送される放送信号の復調や誤り訂正などを行い、その結果得られたＴＳ（Transport Stream）をデマルチプレクサ１３に出力するチューナである。
【００２２】
デマルチプレクサ部１３は、ＴＳに多重化されている映像、音声、データ放送の各データを分離する処理部である。デマルチプレクサ部１３は、ＰＩＤフィルタ部１３ａ、セクションフィルタ部１３ｂを備える。ＰＩＤフィルタ部１３ａは、ＴＳを構成するＴＳパケットに含まれるＰＩＤ（Packet ID）を参照し、ストリーム形式のＴＳパケットを映像・音声復号部１６に出力するとともに、セクション形式のＴＳパケットをセクションフィルタ部１３ｂに出力する処理部である。
【００２３】
セクションフィルタ部１３ｂは、ＰＩＤフィルタ部１３ａからセクション形式のＴＳパケットを受信し、ＰＳＩ／ＳＩ（Program Specific Information/Service Information）を含むＴＳパケットをＰＳＩ／ＳＩ処理部１４に、コンテンツデータを含むＴＳパケットをデータカルーセル受信処理部１５に出力する処理部である。ここで、ＰＳＩ／ＳＩとは、放送されるコンテンツの識別子やコンテンツの放送時期（放送日および放送時間帯）、コンテンツの公開日時などの情報を含むコンテンツ放送情報である。
【００２４】
ＰＳＩ／ＳＩ処理部１４は、セクションフィルタ部１３ｂから受信したＴＳパケットに含まれるＰＳＩ／ＳＩを取得し、取得したＰＳＩ／ＳＩを後に説明する公開時期情報取得部２４ａに出力する処理部である。
【００２５】
データカルーセル受信処理部１５は、セクションフィルタ部１３ｂから受信したＴＳパケットに含まれるコンテンツデータから、蓄積するコンテンツデータを生成し、生成したコンテンツデータを不揮発性記憶部２３に記憶する処理部である。このコンテンツデータは、放送局によりデータカルーセル方式により送信されたデータである。
【００２６】
映像・音声復号部１６は、ＰＩＤフィルタ部１３ａからストリーム形式のＴＳパケットを受信し、受信したＴＳパケットを復号して映像信号および音声信号を生成し、生成した映像信号および音声信号を再生制御部１７に出力する処理部である。
【００２７】
再生制御部１７は、映像・音声復号部１６から映像信号および音声信号を受信し、映像信号と音声信号を同期させる同期処理を行い、映像信号を映像出力部１８に、音声信号を音声出力部１９に出力する処理部である。映像出力部１８は、液晶ディスプレイなどの表示デバイスである。音声出力部１９は、スピーカなどの音声出力デバイスである。
【００２８】
計時部２０は、日時を計測する処理部である。入力部２１は、入力キーやタッチパネル、リモコンなど、ユーザからの情報の入力操作を受け付ける入力デバイスである。揮発性記憶部２２は、揮発性メモリなど、データを一時的に記憶する記憶デバイスである。
【００２９】
不揮発性記憶部２３は、ハードディスク装置や不揮発性メモリなどの記憶デバイスである。不揮発性記憶部２３は、コンテンツ放送情報２３ａ、コンテンツ公開時期情報２３ｂ、蓄積予約情報２３ｃ、蓄積コンテンツ２３ｄなどを記憶する。
【００３０】
コンテンツ放送情報２３ａは、コンテンツの識別子に対応付けて記憶されたコンテンツの放送時期（放送日および放送時間帯）の情報である。コンテンツ公開時期情報２３ｂは、コンテンツの識別子に対応付けて記憶されたコンテンツの公開日時の情報である。コンテンツ放送情報２３ａ、コンテンツ公開時期情報２３ｂは、後に説明する公開時期情報取得部２４ａにより登録される情報である。
【００３１】
蓄積予約情報２３ｃは、コンテンツの識別子に対応付けて記憶された蓄積時期の情報である。蓄積時期とは、コンテンツの蓄積が行われる日および時間帯である。蓄積予約情報２３ｃは、入力部２１を操作することによりユーザにより設定された情報、あるいは、後に説明する蓄積時期設定部２４ｂにより設定された情報である。蓄積コンテンツ２３ｄは、蓄積されたコンテンツのデータである。蓄積コンテンツ２３ｄは、データカルーセル受信処理部１５により登録される。
【００３２】
制御部２４は、コンテンツ受信装置１０を全体的に制御する処理部である。この制御部２４は、公開時期情報取得部２４ａ、蓄積時期設定部２４ｂ、コンテンツ蓄積部２４ｃ、コンテンツ再生部２４ｄを備える。
【００３３】
公開時期情報取得部２４ａは、ＰＳＩ／ＳＩ処理部１４からＰＳＩ／ＳＩを受信し、受信したＰＳＩ／ＳＩから、コンテンツの識別子、および、そのコンテンツの公開日時の情報を取得し、取得した情報を不揮発性記憶部２３にコンテンツ公開時期情報２３ｂとして記憶する処理部である。また、公開時期情報取得部２４ａは、ＰＳＩ／ＳＩに含まれるコンテンツの放送時期の情報を取得し、取得した情報を不揮発性記憶部２３にコンテンツ放送情報２３ａとして記憶する。
【００３４】
蓄積時期設定部２４ｂは、コンテンツ放送情報２３ａ、および、コンテンツ公開時期情報２３ｂに基づいて、コンテンツの蓄積時期を設定し、設定した蓄積時期の情報をコンテンツの識別子の情報と対応付けて、不揮発性記憶部２３に蓄積予約情報２３ｃとして記憶する処理部である。
【００３５】
蓄積時期設定部２４ｂは、入力部２１を介してユーザによりコンテンツの蓄積予約の設定操作（蓄積を行うコンテンツと蓄積を行う日および時間帯の設定操作）を受け付けた場合に、コンテンツの蓄積時期の設定を行う。あるいは、蓄積時期設定部２４ｂは、後に説明するコンテンツ蓄積部２４ｃによりコンテンツ蓄積処理が失敗し、そのコンテンツの次回以降の放送時に再蓄積を実行することが必要と判定された場合に、コンテンツの蓄積時期の設定を行う。
【００３６】
あるいは、蓄積時期設定部２４ｂは、自動予約機能を備え、その自動予約機能によりコンテンツ（お勧めコンテンツなど）とそのコンテンツの蓄積を行う日および時間帯を指定した場合に、コンテンツの蓄積時期の設定を行う。
【００３７】
自動予約においては、蓄積時期設定部２４ｂは、予め設定された基準に適合するコンテンツの放送時期の情報をコンテンツ放送情報２３ａから読み出す。ここで、予め設定された基準とは、例えば、過去のコンテンツの録画回数である。例えば、過去に映画のコンテンツが所定回数以上ユーザにより蓄積されていれば、映画のコンテンツの放送時期の情報が読み出される。
【００３８】
そして、蓄積時期設定部２４ｂは、読み出された放送時期にそのコンテンツを蓄積するように蓄積予約を行う。なお、コンテンツの録画回数の情報は、不揮発性記憶部２３に記憶することとすればよい。このようにして、自動予約機能によりコンテンツの蓄積を行う時期を指定した場合に、蓄積時期設定部２４ｂは、コンテンツの蓄積時期の設定を行う。
【００３９】
図２は、本発明に係るコンテンツ蓄積時期設定処理の一例について説明する図である。図２には、コンテンツＡ〜Ｅの蓄積時期を設定する場合の例が示されている。蓄積時期設定部２４ｂは、複数のコンテンツの蓄積時期が重複している場合、公開日時が早い方のコンテンツの蓄積時期を、重複している蓄積時期に優先的に設定する。すなわち、複数のコンテンツの蓄積時期が重複している場合、公開日時の早い方のコンテンツの蓄積時期は変更しない。そして、蓄積時期設定部２４ｂは、公開日時が遅い方のコンテンツの蓄積時期を、公開日時が早い方のコンテンツの蓄積時期よりも後の、公開日時が遅い方のコンテンツが放送される時期に設定する。なお蓄積時期設定部２４ｂが複数のコンテンツの公開時期や蓄積時期の先後を判定する場合は、それぞれの時期の開始時点の先後によって判定する。
【００４０】
例えば、図２では、コンテンツＡについては２回の放送予定（２０１１年２月１日０：００から２０１１年２月１日０：３０の間、および、２０１１年２月１５日０：００から２０１１年２月１５日０：３０の間）があり、コンテンツＢについては３回の放送予定（２０１１年２月１日０：００から２０１１年２月１日０：３０の間、２０１１年２月１５日０：００から２０１１年２月１５日０：３０の間、および、２０１１年３月１５日０：００から２０１１年３月１５日０：３０の間）がある。そして、コンテンツＡ、Ｂの蓄積時期（２０１１年２月１日０：００から２０１１年２月１日０：３０の間）が重複している。
【００４１】
この場合、蓄積時期設定部２４ｂは、公開時期が早いコンテンツＡ（２０１１年３月１日０：００公開）の蓄積時期を、重複している時期（２０１１年２月１日０：００から２０１１年２月１日０：３０の間）に設定し、公開日時が遅いコンテンツＢ（２０１１年４月１日０：００公開）の蓄積時期を、コンテンツＢの次回の放送時期（２０１１年２月１５日０：００から２０１１年２月１５日０：３０の間）に設定する。
【００４２】
ただし、図２の例では、コンテンツＢの蓄積時期を次回の放送時期に設定した結果、コンテンツＢの蓄積時期とコンテンツＣの蓄積時期とが再び重複してしまう。そのため、蓄積時期設定部２４ｂは、公開日時がコンテンツＣよりも早いコンテンツＢ（コンテンツＢは２０１１年３月１日０：００公開、コンテンツＣは２０１１年７月１日０：００公開）の蓄積時期を、重複している蓄積時期（２０１１年２月１５日０：００から２０１１年２月１５日０：３０の間）に優先的に設定する。また、蓄積時期設定部２４ｂは、コンテンツＣの蓄積時期を、公開日時が早いコンテンツＢの蓄積時期よりも後のコンテンツＣが放送される時期（２０１１年３月１５日０：００から２０１１年３月１５日０：３０の間）に設定する。
【００４３】
ただし、公開日時が遅い方のコンテンツの蓄積時期を遅らせることにより、そのコンテンツの蓄積開始日時が公開日時よりも遅くなる場合、蓄積時期設定部２４ｂは、公開日時が遅い方のコンテンツの蓄積時期を遅らせる処理を行わない。代わりに、蓄積時期設定部２４ｂは、公開日時が早い方のコンテンツについて、蓄積時期を遅らせたとしても、その蓄積開始日時が公開日時よりも遅くならない場合に、公開日時が早い方のコンテンツの蓄積時期を遅らせる処理を行う。
【００４４】
図２の例では、コンテンツＣの蓄積時期が後ろにずれた結果、コンテンツＣ、Ｄ、Ｅの蓄積時期（２０１１年３月１５日０：００から２０１１年３月１５日０：３０の間）が重複している。この場合、公開日時がコンテンツＤ、Ｅよりも遅いコンテンツＣ（コンテンツＤ、Ｅの公開日時は２０１１年６月１５日０：００、コンテンツＣの公開日時は２０１１年７月１日０：００）の蓄積時期を遅らせて、コンテンツＣの次回の放送時期（２０１１年７月１５日０：００から２０１１年７月１５日０：３０の間）に設定することとすると、コンテンツＣの蓄積開始日時（２０１１年７月１５日０：００）がコンテンツＣの公開日時（２０１１年７月１日０：００）よりも遅くなってしまう。
【００４５】
そのため、蓄積時期設定部２４ｂは、公開日時が遅いコンテンツＣの蓄積時期を遅らせる処理を行わない。代わりに、蓄積時期設定部２４ｂは、蓄積時期を遅らせたとしても、その蓄積開始日時が公開日時よりも遅くならないコンテンツＤ、Ｅについて、蓄積時期を遅らせる処理を行う。具体的には、蓄積時期設定部２４ｂは、コンテンツＤ、Ｅの蓄積時期を、コンテンツＤ、Ｅの公開日時よりも放送開始日時が早いコンテンツＤ、Ｅの放送時期（２０１１年６月１日０：００から２０１１年６月１日０：３０の間、および、２０１１年５月１日０：００から２０１１年５月１日０：３０の間）に設定する。
【００４６】
このようにして、蓄積時期設定部２４ｂは、各コンテンツの蓄積時期を重複することなく設定する。その際、蓄積時期設定部２４ｂは、コンテンツの蓄積時期がコンテンツの公開時期よりも前となるように設定することとしたので、ユーザはコンテンツの公開時期が来ると同時にそのコンテンツを視聴することができるようになる。
【００４７】
なお、コンテンツの蓄積時期が重複していて、いずれかのコンテンツの蓄積時期を次回の放送時期に遅らせる必要があるが、いずれのコンテンツについても公開日時前に次回の放送予定がない場合、コンテンツの蓄積時期を次回の放送時期に設定することができない。
【００４８】
その場合、蓄積時期設定部２４ｂは、蓄積時期の設定が失敗したことを示すメッセージを再生制御部１７に出力し、そのメッセージを映像出力部１８に表示させる。一方、コンテンツの蓄積時期が重複することなく設定できた場合、蓄積時期設定部２４ｂは、設定した蓄積時期の一覧情報を再生制御部１７に出力し、その一覧情報を映像出力部１８に表示させる。
【００４９】
コンテンツ蓄積部２４ｃは、蓄積時期設定部２４ｂにより設定された蓄積時期の情報に基づいて、コンテンツの蓄積を行う処理部である。具体的には、コンテンツ蓄積部２４ｃは、不揮発性記憶部２３から蓄積予約情報２３ｃを読み出す。そして、コンテンツ蓄積部２４ｃは、計時部２０により計測された日時が蓄積予約情報２３ｃに登録された蓄積時期の蓄積開始日時と一致した場合に、チューナ部１２、ＰＩＤフィルタ部１３ａ、セクションフィルタ部１３ｂ、データカルーセル受信処理部１５を制御して、その蓄積時期に対応するコンテンツデータを蓄積コンテンツ２３ｄとして不揮発性記憶部２３に記憶する。
【００５０】
また、コンテンツ蓄積部２４ｃは、コンテンツの蓄積が失敗し、そのコンテンツの次回以降の放送時に再蓄積を実行することが必要と判定した場合に、蓄積時期設定部２４ｂにコンテンツの蓄積時期の設定要求を出力する。コンテンツの蓄積が失敗する場合とは、例えば、コンテンツを放送する放送信号が受信できなくなった場合などである。
【００５１】
コンテンツ再生部２４ｄは、不揮発性記憶部２３に蓄積コンテンツ２３ｄとして記憶されたコンテンツの再生を制御する処理部である。コンテンツ再生部２４ｄは、不揮発性記憶部２３から蓄積コンテンツ２３ｄを読み込み、蓄積コンテンツ２３ｄから映像信号および音声信号を生成する。そして、コンテンツ再生部２４ｄは、生成した映像信号および音声信号を再生制御部１７に出力し、再生制御部１７に映像信号および音声信号を再生させる。
【００５２】
つぎに、本発明に係るコンテンツ蓄積時期設定処理の処理手順の一例について説明する。図３は、本発明に係るコンテンツ蓄積時期設定処理の処理手順の一例を示すフローチャートであり、図４は、図３に示す重複解消処理の処理手順の一例を示すフローチャートである。
【００５３】
図３に示すように、まず、コンテンツ受信装置１０の蓄積時期設定部２４ｂは、処理対象とするコンテンツ（図２では、例えば、コンテンツＡ）を選択する（ステップＳ１０１）。
【００５４】
例えば、入力部２１を介してユーザによりコンテンツの蓄積予約の設定操作を受け付けた場合、そのコンテンツが処理対象とするコンテンツとして選択される。また、コンテンツの蓄積が失敗し、コンテンツ蓄積部２４ｃからコンテンツの蓄積時期の設定要求を受信した場合、蓄積が失敗したコンテンツが処理対象とするコンテンツとして選択される。また、蓄積時期設定部２４ｂの自動予約機能によりコンテンツの蓄積予約がなされた場合、そのコンテンツが処理対象とするコンテンツとして選択される。
【００５５】
その後、蓄積時期設定部２４ｂは、処理対象とするコンテンツの蓄積時期をそのコンテンツがつぎに放送される時期に仮設定する（ステップＳ１０２）。そして、蓄積時期設定部２４ｂは、処理対象とするコンテンツと蓄積時期が重複するコンテンツがあるか否かを判定する（ステップＳ１０３）。
【００５６】
処理対象とするコンテンツと蓄積時期が重複するコンテンツがない場合（ステップＳ１０２においてＮＯの場合）、蓄積時期設定部２４ｂは、仮設定された蓄積時期の蓄積開始日時が公開日時よりも前であるか否かを判定する（ステップＳ１０９）。
【００５７】
仮設定された蓄積時期の蓄積開始日時が公開日時よりも前でない場合（ステップＳ１０９においてＮＯの場合）、蓄積時期設定部２４ｂは、再生制御部１７に蓄積時期の設定ができないことを示すメッセージを出力し、映像出力部１８に、そのメッセージを表示させる（ステップＳ１１０）。そして、このコンテンツ蓄積時期設定処理は終了する。
【００５８】
仮設定された蓄積時期の蓄積開始日時が公開日時よりも前である場合（ステップＳ１０９においてＹＥＳの場合）、蓄積時期設定部２４ｂは、蓄積時期が仮設定された後、蓄積時期が最終的に設定されていないコンテンツの蓄積時期を、仮設定された蓄積時期に設定する（ステップＳ１０７）。
【００５９】
そして、蓄積時期設定部２４ｂは、再生制御部１７に各コンテンツの蓄積時期の一覧情報を出力し、映像出力部１８に、その一覧情報を表示させる（ステップＳ１０８）。そして、このコンテンツ蓄積時期設定処理は終了する。
【００６０】
ステップＳ１０３において、処理対象とするコンテンツと蓄積時期が重複するコンテンツがある場合（ステップＳ１０３においてＹＥＳの場合）、蓄積時期設定部２４ｂは、重複解消処理を実行する（ステップＳ１０４）。
【００６１】
具体的には、図４に示すように、蓄積時期設定部２４ｂは、処理対象とするコンテンツと蓄積時期が重複している２つのコンテンツを選択する（ステップＳ２０１）。図２の例では、蓄積時期設定部２４ｂは、コンテンツＡとコンテンツＢとを選択する。
【００６２】
そして、蓄積時期設定部２４ｂは、２つのコンテンツとも公開日時よりも前に放送が開始される次回の放送予定がないか否かを判定する（ステップＳ２０２）。２つのコンテンツとも公開日時よりも前に放送が開始される次回の放送予定がない場合（ステップＳ２０２においてＹＥＳの場合）、蓄積時期設定部２４ｂは、コンテンツの蓄積開始日時を公開日時よりも前に設定することができないので、蓄積時期設定不可フラグをオンに設定する（ステップＳ２１１）。そして、この重複解消処理は終了し、図３のステップＳ１０５以降の処理が実行される。
【００６３】
すなわち、図３のステップＳ１０５に示されるように、蓄積時期設定部２４ｂは、蓄積時期設定不可フラグがオンか否かを判定する（ステップＳ１０５）。そして、蓄積時期設定不可フラグがオンである場合（ステップＳ１０５においてＹＥＳの場合）、蓄積時期設定部２４ｂは、再生制御部１７に蓄積時期の設定ができないことを示すメッセージを出力し、映像出力部１８に、そのメッセージを表示させる（ステップＳ１１０）。そして、このコンテンツ蓄積時期設定処理は終了する。
【００６４】
図４のステップＳ２０２において、２つのコンテンツとも公開日時よりも前に放送が開始される次回の放送予定がないという条件が満たされていない場合（ステップＳ２０２においてＮＯの場合）、蓄積時期設定部２４ｂは、一方のコンテンツのみ公開日時よりも前に放送が開始される次回の放送予定がないか否かを判定する（ステップＳ２０３）。
【００６５】
図２の例では、コンテンツＡについては、公開日時（２０１１年３月１日０：００）よりも前に放送が開始される次回の放送予定（２０１１年２月１５日０：００から２０１１年２月１５日０：３０までの間）があり、コンテンツＢについても、公開日時（２０１１年５月１５日０：００）よりも前に放送が開始される次回の放送予定（２０１１年２月１５日０：００から２０１１年２月１５日０：３０までの間）がある。
【００６６】
そのため、蓄積時期設定部２４ｂは、２つのコンテンツとも公開日時よりも前に放送が開始される次回の放送予定がないという条件が満たされていないと判定する（ステップＳ２０２においてＮＯ）。また、コンテンツＡ、Ｂのいずれも公開日時よりも前に放送が開始される次回の放送予定があるので、蓄積時期設定部２４ｂは、一方のコンテンツのみ公開日時よりも前に放送が開始される次回の放送予定がないという条件は満たさないと判定する（ステップＳ２０３においてＮＯ）。
【００６７】
一方のコンテンツのみ公開日時よりも前に放送が開始される次回の放送予定がないという条件が満たされていない場合（ステップＳ２０３においてＮＯの場合）、蓄積時期設定部２４ｂは、２つのコンテンツの公開日時が同じであるか否かを判定する（ステップＳ２０４）。
【００６８】
２つのコンテンツの公開日時が同じでない場合（ステップＳ２０４においてＮＯの場合）、蓄積時期設定部２４ｂは、公開日時が早いコンテンツの蓄積時期を、重複している蓄積時期に仮設定する（ステップＳ２０５）。図２の例では、コンテンツＡの公開日時（２０１１年３月１日０：００）とコンテンツＢの公開日時（２０１１年４月１日０：００）とは異なるため、蓄積時期設定部２４ｂは、公開日時がコンテンツＢよりも早いコンテンツＡの蓄積時期を、重複している蓄積時期（２０１１年２月１日０：００から２０１１年２月１日０：３０までの間）に仮設定する。
【００６９】
続いて、蓄積時期設定部２４ｂは、公開日時が遅いコンテンツの蓄積時期を、そのコンテンツの次回の放送時期に仮設定する（ステップＳ２０６）。図２の例では、蓄積時期設定部２４ｂは、公開日時がコンテンツＡよりも遅いコンテンツＢの蓄積時期を、コンテンツＢの次回の放送時期（２０１１年２月１５日０：００から２０１１年２月１５日０：３０までの間）に仮設定する。そして、この重複解消処理は終了する。
【００７０】
その後、図３のステップＳ１０５に示されるように、蓄積時期設定部２４ｂは、蓄積時期設定不可フラグがオンか否かを判定する（ステップＳ１０５）。蓄積時期設定不可フラグがオンでない場合（ステップＳ１０５においてＮＯの場合）、蓄積時期設定部２４ｂは、他のコンテンツと蓄積時期が重複しているコンテンツがあるか否かを判定する（ステップＳ１０６）。
【００７１】
他のコンテンツと蓄積時期が重複しているコンテンツがある場合（ステップＳ１０６においてＹＥＳの場合）、蓄積時期設定部２４ｂは、ステップＳ１０４の重複解消処理を再度実行する（ステップＳ１０４）。
【００７２】
すなわち、図４に示すように、蓄積時期設定部２４ｂは、蓄積時期が重複している２つのコンテンツを選択する（ステップＳ２０１）。図２の例では、蓄積時期設定部２４ｂは、蓄積時期が仮設定されたコンテンツＢとコンテンツＣの蓄積時期（２０１１年２月１５日０：００から２０１１年２月１５日０：３０までの間）が重複しているので、コンテンツＢとコンテンツＣとを選択する。
【００７３】
そして、蓄積時期設定部２４ｂは、上述したステップＳ２０２の処理を実行する。図２の例では、コンテンツＢについては、公開日時（２０１１年４月１日０：００）よりも前に放送が開始される次回の放送予定（２０１１年３月１５日０：００から２０１１年３月１５日０：３０までの間）があり、コンテンツＣについても、公開日時（２０１１年７月１日０：００）よりも前に放送が開始される次回の放送予定（２０１１年３月１５日０：００から２０１１年３月１５日０：３０までの間）があるので、蓄積時期設定部２４ｂは、２つのコンテンツとも公開日時よりも前に放送が開始される次回の放送予定がないという条件が満たされないと判定する（ステップＳ２０２においてＮＯ）。
【００７４】
２つのコンテンツとも公開日時よりも前に放送が開始される次回の放送予定があるという条件が満たされない場合（ステップＳ２０２においてＮＯの場合）、蓄積時期設定部２４ｂは、上述したステップＳ２０３の処理を実行する。図２の例では、上述のように、コンテンツＢ、Ｃのいずれも公開日時よりも前に放送が開始される次回の放送予定があるので、蓄積時期設定部２４ｂは、一方のコンテンツのみ公開日時よりも前に放送が開始される次回の放送予定がないという条件が満たされないと判定する（ステップＳ２０３においてＮＯ）。
【００７５】
その後、蓄積時期設定部２４ｂは、上述したステップＳ２０４からステップＳ２０６の処理を再度実行する。図２の例の場合、コンテンツＢの公開日時（２０１１年４月１日０：００）とコンテンツＣの公開日時（２０１１年７月１日０：００）とは異なるため、蓄積時期設定部２４ｂは、公開日時がコンテンツＣよりも早いコンテンツＢの蓄積時期を、重複している蓄積時期（２０１１年２月１５日０：００から２０１１年２月１５日０：３０までの間）に仮設定する。
【００７６】
そして、蓄積時期設定部２４ｂは、公開日時がコンテンツＢよりも遅いコンテンツＣの蓄積時期を、コンテンツＣの次回の放送時期（２０１１年３月１５日０：００から２０１１年３月１５日０：３０までの間）に仮設定する。そして、この重複解消処理は終了し、上述した図３のステップＳ１０５以降の処理が実行される。
【００７７】
図２の例の場合、図３のステップＳ１０５において、蓄積時期設定フラグがオンではないので（ステップＳ１０５においてＮＯ）、ステップＳ１０６において、蓄積時期設定部２４ｂは、他のコンテンツと蓄積時期が重複しているコンテンツがあるか否かを判定する（ステップＳ１０６）。
【００７８】
そして、コンテンツＣの蓄積時期を次回の放送時期に仮設定した結果、コンテンツＣ、Ｄ、Ｅの蓄積時期が重複することとなったので、蓄積時期設定部２４ｂは、他のコンテンツと蓄積時期が重複しているコンテンツがあると判定し（ステップＳ１０６においてＹＥＳ）、ステップＳ１０４の重複解消処理を再度実行する（ステップＳ１０４）。
【００７９】
すなわち、図４に示すように、蓄積時期設定部２４ｂは、蓄積時期が重複している２つのコンテンツを選択する（ステップＳ２０１）。図２では、例えば、蓄積時期設定部２４ｂは、蓄積時期が仮設定されたコンテンツＤとコンテンツＥの蓄積時期（２０１１年３月１５日０：００から２０１１年３月１５日０：３０までの間）が重複しているので、コンテンツＤとコンテンツＥとを選択する。なお、蓄積時期設定部２４ｂは、コンテンツＣとコンテンツＤ、あるいは、コンテンツＣとコンテンツＥとを選択することとしてもよい。
【００８０】
そして、蓄積時期設定部２４ｂは、上述したステップＳ２０２の処理を実行する。図２の例では、コンテンツＤ、Ｅの両方とも、公開日時（２０１１年６月１５日０：００）よりも前に放送が開始される次回の放送予定（２０１１年６月１日０：００から２０１１年６月１日０：３０までの間、および、２０１１年５月１日０：００から２０１１年５月１日０：３０までの間）があるので、蓄積時期設定部２４ｂは、２つのコンテンツとも公開日時よりも前に放送が開始される次回の放送予定がないという条件は満たさないと判定する（ステップＳ２０２においてＮＯ）。
【００８１】
２つのコンテンツとも公開日時よりも前に放送が開始される次回の放送予定がないという条件が満たされない場合（ステップＳ２０２においてＮＯの場合）、蓄積時期設定部２４ｂは、上述したステップＳ２０３の処理を実行する。図２の例では、上述のように、コンテンツＤ、Ｅの両方とも公開日時よりも前に放送が開始される次回の放送予定があるので、一方のコンテンツのみ公開日時よりも前に放送が開始される次回の放送予定がないという条件は満たさない（ステップＳ２０３においてＮＯ）。
【００８２】
この場合、蓄積時期設定部２４ｂは、上述したステップＳ２０４の処理を実行する。２つのコンテンツの公開日時が同じである場合（ステップＳ２０４においてＹＥＳの場合）、蓄積時期設定部２４ｂは、２つのコンテンツのいずれか一方のコンテンツの蓄積時期を、重複している蓄積時期に仮設定する（ステップＳ２０７）。図２では、コンテンツＤとコンテンツＥとは公開日時が同じであるため（ステップＳ２０４においてＹＥＳ）、蓄積時期設定部２４ｂは、例えばコンテンツＤの蓄積時期を、重複している蓄積時期（２０１１年３月１５日０：００から２０１１年３月１５日０：３０までの間）に仮設定する（ステップＳ２０７）。
【００８３】
そして、蓄積時期設定部２４ｂは、他方のコンテンツの蓄積時期を、そのコンテンツの次回の放送時期に仮設定する（ステップＳ２０８）。図２の例では、蓄積時期設定部２４ｂは、コンテンツＥの蓄積時期を、コンテンツＥの次回の放送時期（２０１１年５月１日０：００から２０１１年５月１日０：３０までの間）に仮設定する（ステップＳ２０８）。そして、この重複解消処理は終了し、図３のステップＳ１０５以降の処理が実行される。
【００８４】
図２の例の場合、図３のステップＳ１０５において、蓄積時期設定フラグがオンではないので（ステップＳ１０５においてＮＯ）、蓄積時期設定部２４ｂは、他のコンテンツと蓄積時期が重複しているコンテンツがあるか否かを判定する（ステップＳ１０６）。
【００８５】
図２の例の場合、コンテンツＥの蓄積時期をコンテンツＥの次回の放送時期に仮設定したものの、コンテンツＣ、Ｄの蓄積時期が依然として重複しているので、蓄積時期設定部２４ｂは、他のコンテンツと蓄積時期が重複しているコンテンツがあると判定し（ステップＳ１０６においてＹＥＳ）、ステップＳ１０４の重複解消処理を再度実行する（ステップＳ１０４）。
【００８６】
すなわち、図４に示すように、蓄積時期設定部２４ｂは、処理対象とするコンテンツと蓄積時期が重複している２つのコンテンツを選択する（ステップＳ２０１）。図２の例では、蓄積時期設定部２４ｂは、蓄積時期が仮設定されたコンテンツＣとコンテンツＤの蓄積時期（２０１１年３月１５日０：００から２０１１年３月１５日０：３０までの間）が重複しているので、コンテンツＣとコンテンツＤとを選択する。
【００８７】
そして、蓄積時期設定部２４ｂは、上述したステップＳ２０２の処理を実行する。図２の例では、コンテンツＤについては、公開日時（２０１１年６月１５日０：００）よりも前に放送が開始される次回の放送予定（２０１１年６月１日０：００から２０１１年６月１日０：３０までの間）があるものの、コンテンツＣについては、公開日時（２０１１年７月１日０：００）よりも前に放送が開始される次回の放送予定はないので（コンテンツＣの次回の放送時期は２０１１年７月１５日０：００から２０１１年７月１５日０：３０までの間）、蓄積時期設定部２４ｂは、２つのコンテンツとも公開日時よりも前に放送が開始される次回の放送予定がないという条件は満たさないと判定する（ステップＳ２０２においてＮＯ）。
【００８８】
２つのコンテンツとも公開日時よりも前に放送が開始される次回の放送予定がないという条件が満たされない場合（ステップＳ２０２においてＮＯの場合）、蓄積時期設定部２４ｂは、上述したステップＳ２０３の処理を実行する。図２の例では、上述のように、コンテンツＣのみ公開日時よりも前に放送が開始される次回の放送予定がない（ステップＳ２０３においてＹＥＳ）。
【００８９】
この場合、蓄積時期設定部２４ｂは、公開日時よりも前に放送が開始される次回の放送予定がないコンテンツの蓄積時期を、重複している蓄積時期に仮設定する（ステップＳ２０９）。図２の例では、蓄積時期設定部２４ｂは、公開日時よりも前に放送が開始される次回の放送予定がないコンテンツＣの蓄積時期を、重複している蓄積時期（２０１１年３月１５日０：００から２０１１年３月１５日０：３０までの間）に仮設定する。
【００９０】
そして、蓄積時期設定部２４ｂは、公開日時よりも前に放送が開始される次回の放送予定があるコンテンツの蓄積時期を、そのコンテンツの次回の放送時期に仮設定する（ステップＳ２１０）。図２の例では、蓄積時期設定部２４ｂは、公開日時よりも前に放送が開始される次回の放送予定があるコンテンツＤの蓄積時期を、次回の放送時期（２０１１年６月１日０：００から２０１１年６月１日０：３０までの間）に仮設定する。そして、この重複解消処理は終了し、図３のステップＳ１０５以降の処理が実行される。
【００９１】
すなわち、蓄積時期設定部２４ｂは、蓄積時期設定不可フラグがオンか否かを判定する（ステップＳ１０５）。蓄積時期設定不可フラグがオンでない場合（ステップＳ１０５においてＮＯの場合）、蓄積時期設定部２４ｂは、他のコンテンツと蓄積時期が重複しているコンテンツがあるか否かを判定する（ステップＳ１０６）。
【００９２】
図２の例では、コンテンツＣとコンテンツＤとの間の蓄積時期の重複が解消されたので、蓄積時期設定部２４ｂは、他のコンテンツと蓄積時期が重複しているコンテンツがないと判定する（ステップＳ１０６においてＮＯ）。
【００９３】
ステップＳ１０６において、他のコンテンツと蓄積時期が重複しているコンテンツがない場合（ステップＳ１０６においてＮＯの場合）、蓄積時期設定部２４ｂは、蓄積時期が仮設定された後、蓄積時期が最終的に設定されていないコンテンツの蓄積時期を、仮設定された蓄積時期に設定する（ステップＳ１０７）。
【００９４】
図２の例では、蓄積時期設定部２４ｂは、コンテンツＡの蓄積時期を、仮設定された蓄積時期である２０１１年２月１日０：００から２０１１年２月１日０：３０までの間に、コンテンツＢの蓄積時期を、仮設定された蓄積時期である２０１１年２月１５日０：００から２０１１年２月１５日０：３０までの間に、コンテンツＣの蓄積時期を、仮設定された蓄積時期である２０１１年３月１５日０：００から２０１１年３月１５日０：３０までの間に、コンテンツＤの蓄積時期を、仮設定された蓄積時期である２０１１年６月１日０：００から２０１１年６月１日０：３０までの間に、コンテンツＥの蓄積時期を、仮設定された蓄積時期である２０１１年５月１日０：００から２０１１年５月１日０：３０までの間に設定する。
【００９５】
その後、蓄積時期設定部２４ｂは、再生制御部１７に各コンテンツの蓄積時期の一覧情報を出力し、映像出力部１８に、その一覧情報を表示させる（ステップＳ１０８）。図２の例では、蓄積時期設定部２４ｂは、再生制御部１７に上述したコンテンツＡ〜Ｅの蓄積時期の一覧情報を出力し、映像出力部１８に、その一覧情報を表示させる。そして、このコンテンツ蓄積時期設定処理は終了する。
【００９６】
さて、これまでコンテンツ受信装置およびコンテンツ蓄積方法の実施形態を中心に説明を行ったが、本発明はこれらの実施形態に限定されるものではなく、コンテンツ受信装置の機能を実現するためのコンピュータプログラムとしての形態、あるいは、当該コンピュータプログラムが記録されたコンピュータ読み取り可能な記録媒体の形態として本発明が実施されることとしてもよい。
【００９７】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【００９８】
これら記録媒体に上記実施形態におけるコンテンツ受信装置の機能を実現させるコンピュータプログラム、または、コンテンツ蓄積方法をコンピュータに実行させるコンピュータプログラムを記録して流通させることにより、コストの低廉化、及び可搬性や汎用性を向上させることができる。
【００９９】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係るコンテンツ受信装置の機能を実現し、コンテンツ蓄積方法を実行することができる。
【０１００】
また、本発明は上述した実施形態に限定されず、本発明の要旨を逸脱しない範囲内で各種の変形、修正が可能である。例えば、上記実施形態では、コンテンツの蓄積開始日時がそのコンテンツの公開日時よりも遅くなる場合、蓄積時期設定部２４ｂは、再生制御部１７に蓄積時期の設定ができないことを示すメッセージを出力し、映像出力部１８に、そのメッセージを表示させ、蓄積時期設定処理を終了することとしたが、蓄積時期設定部２４ｂは、そのコンテンツの蓄積開始日時を公開日時よりも遅い日時に設定することとしてもよい。
【符号の説明】
【０１０１】
１０…コンテンツ受信装置１０、１１…アンテナ、１２…チューナ部、１３…デマルチプレクサ部、１４…ＰＳＩ／ＳＩ処理部、１５…データカルーセル受信処理部、１６…映像・音声処理部、１７…再生制御部、１８…映像出力部、１９…音声出力部、２０…計時部、２１…入力部、２２…揮発性記憶部、２３…不揮発性記憶部、２３ａ…コンテンツ放送情報、２３ｂ…コンテンツ公開時期情報、２３ｃ…蓄積予約情報、２３ｄ…蓄積コンテンツ、２４…制御部、２４ａ…公開時期情報取得部、２４ｂ…蓄積時期設定部、２４ｃ…コンテンツ蓄積部、２４ｄ…コンテンツ再生部。
【図１】
2012132591.tif 000003
【図２】
2012132591.tif 000004
【図３】
2012132591.tif 000005
【図４】
2012132591.tif 000006
【手続補正書】
【提出日】平成25年6月7日(2013.6.7)
【手続補正１】
【補正対象書類名】明細書
【補正対象項目名】００２０
【補正方法】変更
【補正の内容】
【００２０】
図１に示すように、コンテンツ受信装置１０は、アンテナ１１、チューナ部１２、デマルチプレクサ部１３、ＰＳＩ／ＳＩ処理部１４、データカルーセル受信処理部１５、映像・音声復号部１６、再生制御部１７、映像出力部１８、音声出力部１９、計時部２０、入力部２１、揮発性記憶部２２、不揮発性記憶部２３、制御部２４を備える。
【手続補正２】
【補正対象書類名】明細書
【補正対象項目名】００２１
【補正方法】変更
【補正の内容】
【００２１】
アンテナ１１は、コンテンツの放送信号を受信し、受信した放送信号をチューナ部１２に出力するアンテナである。チューナ部１２は、入力部２１を介してユーザにより指定されたチャンネルを選局し、そのチャンネルを用いて放送される放送信号の復調や誤り訂正などを行い、その結果得られたＴＳ（Transport Stream）をデマルチプレクサ部１３に出力するチューナである。
【手続補正３】
【補正対象書類名】明細書
【補正対象項目名】００４２
【補正方法】変更
【補正の内容】
【００４２】
ただし、図２の例では、コンテンツＢの蓄積時期を次回の放送時期に設定した結果、コンテンツＢの蓄積時期とコンテンツＣの蓄積時期とが再び重複してしまう。そのため、蓄積時期設定部２４ｂは、公開日時がコンテンツＣよりも早いコンテンツＢ（コンテンツＢは２０１１年４月１日０：００公開、コンテンツＣは２０１１年７月１日０：００公開）の蓄積時期を、重複している蓄積時期（２０１１年２月１５日０：００から２０１１年２月１５日０：３０の間）に優先的に設定する。また、蓄積時期設定部２４ｂは、コンテンツＣの蓄積時期を、公開日時が早いコンテンツＢの蓄積時期よりも後のコンテンツＣが放送される時期（２０１１年３月１５日０：００から２０１１年３月１５日０：３０の間）に設定する。
【手続補正４】
【補正対象書類名】明細書
【補正対象項目名】００６５
【補正方法】変更
【補正の内容】
【００６５】
図２の例では、コンテンツＡについては、公開日時（２０１１年３月１日０：００）よりも前に放送が開始される次回の放送予定（２０１１年２月１５日０：００から２０１１年２月１５日０：３０までの間）があり、コンテンツＢについても、公開日時（２０１１年４月１日０：００）よりも前に放送が開始される次回の放送予定（２０１１年２月１５日０：００から２０１１年２月１５日０：３０までの間）がある。
【手続補正５】
【補正対象書類名】明細書
【補正対象項目名】００７４
【補正方法】変更
【補正の内容】
【００７４】
２つのコンテンツとも公開日時よりも前に放送が開始される次回の放送予定がないという条件が満たされない場合（ステップＳ２０２においてＮＯの場合）、蓄積時期設定部２４ｂは、上述したステップＳ２０３の処理を実行する。図２の例では、上述のように、コンテンツＢ、Ｃのいずれも公開日時よりも前に放送が開始される次回の放送予定があるので、蓄積時期設定部２４ｂは、一方のコンテンツのみ公開日時よりも前に放送が開始される次回の放送予定がないという条件が満たされないと判定する（ステップＳ２０３においてＮＯ）。
【手続補正６】
【補正対象書類名】明細書
【補正対象項目名】００８４
【補正方法】変更
【補正の内容】
【００８４】
図２の例の場合、図３のステップＳ１０５において、蓄積時期設定不可フラグがオンではないので（ステップＳ１０５においてＮＯ）、蓄積時期設定部２４ｂは、他のコンテンツと蓄積時期が重複しているコンテンツがあるか否かを判定する（ステップＳ１０６）。
【手続補正７】
【補正対象書類名】明細書
【補正対象項目名】０１０１
【補正方法】変更
【補正の内容】
【０１０１】
１０…コンテンツ受信装置、１１…アンテナ、１２…チューナ部、１３…デマルチプレクサ部、１４…ＰＳＩ／ＳＩ処理部、１５…データカルーセル受信処理部、１６…映像・音声復号部、１７…再生制御部、１８…映像出力部、１９…音声出力部、２０…計時部、２１…入力部、２２…揮発性記憶部、２３…不揮発性記憶部、２３ａ…コンテンツ放送情報、２３ｂ…コンテンツ公開時期情報、２３ｃ…蓄積予約情報、２３ｄ…蓄積コンテンツ、２４…制御部、２４ａ…公開時期情報取得部、２４ｂ…蓄積時期設定部、２４ｃ…コンテンツ蓄積部、２４ｄ…コンテンツ再生部。
【手続補正８】
【補正対象書類名】図面
【補正対象項目名】図３
【補正方法】変更
【補正の内容】
【図３】
2012132591.tif 000007
【国際調査報告】
2012132591.tif 000008
2012132591.tif 000009